(57)【要約】【目的】  棚板をサイズによらず確実に保持して取り付け、収納箱の見栄えを良好とする。【構成】  収納箱の側板（１）の内面に設けられた縦一列に並ぶ取付穴（２）の二つを用いて嵌着される保持具（３）の挟持部（４）により棚板（５）が上下に挟持されて収納箱に取り付けられる。【選択図】図１
2005087566.tif 000002
【特許請求の範囲】
【請求項１】
収納箱の側板内面に設けられた縦一列に並ぶ取付穴の二つを用いて嵌着される保持具の挟持部により棚板が上下に挟持されて収納箱に取り付けられることを特徴とする棚板の取付構造。
【請求項２】
保持具は、前記取付穴の内の上下に隣り合う二つに嵌め込み可能な二本の突起を有し、挟持部として、収納箱の前後方向に延び、上下に対向する一対の挟持片を備え、前記二本の突起が上下に隣り合う二つの取付穴に嵌め込まれることにより保持具が収納箱の側板に嵌着され、棚板の端部を上下一対の挟持片間で挟持して保持具は棚板を保持する請求項１記載の棚板の取付構造。
【請求項３】
保持具は、前記取付穴の一つに嵌め込み可能な一本の突起と、挟持部として、収納箱の前後方向に延びる一つの挟持片とを有し、二つの保持具が、各々の挟持片を対向させて取付穴への突起の嵌め込みにより収納箱の側板に嵌着され、棚板の端部を二つの保持具の挟持片間に挟持して保持具は棚板を保持する請求項１記載の棚板の取付構造。
【発明の詳細な説明】
【技術分野】
【０００１】
この出願の発明は、棚板の取付構造に関するものである。さらに詳しくは、この出願の発明は、棚板をサイズによらず確実に保持して取り付けることができ、収納箱の見栄えを良好とすることのできる棚板の取付構造に関するものである。
【背景技術】
【０００２】
収納箱において棚板は、たとえば、両端部に設けられている突起が収納棚の側板内面に設けられた前後２列の取付穴に差し込まれて取り付けられている（たとえば、特許文献１参照）。
【特許文献１】特開平８−５６７５４号公報
【発明の開示】
【発明が解決しようとする課題】
【０００３】
しかしながら、上記の棚板の取付構造には、棚板のサイズが異なると、そのサイズに合わせて保持可能となるように側板内面に取付穴を配列を変える必要がある。このため、穴加工工数が増え、また、取付穴の数の増加にともない収納箱の見栄えが悪くなることがある。
【０００４】
この出願の発明は、このような事情に鑑みてなされたものであり、棚板をサイズによらず確実に保持して取り付けることができ、収納箱の見栄えを良好とすることのできる棚板の取付構造を提供することを解決すべき課題としている。
【課題を解決するための手段】
【０００５】
この出願の発明は、上記の課題を解決するものとして、第１には、収納箱の側板内面に設けられた縦一列に並ぶ取付穴の二つを用いて嵌着される保持具の挟持部により棚板が上下に挟持されて収納箱に取り付けられることを特徴とする棚板の取付構造を提供する。
【０００６】
この出願の発明は、第２には、上記第１の棚板の取付構造において、保持具は、前記取付穴の内の上下に隣り合う二つに嵌め込み可能な二本の突起を有し、挟持部として、収納箱の前後方向に延び、上下に対向する一対の挟持片を備え、前記二本の突起が上下に隣り合う二つの取付穴に嵌め込まれることにより保持具が収納箱の側板に嵌着され、棚板の端部を上下一対の挟持片間で挟持して保持具は棚板を保持することを提供する。
【０００７】
この出願の発明は、第３には、上記第１の棚板の取付構造において、保持具は、前記取付穴の一つに嵌め込み可能な一本の突起と、挟持部として、収納箱の前後方向に延びる一つの挟持片とを有し、二つの保持具が、各々の挟持片を対向させて取付穴への突起の嵌め込みにより収納箱の側板に嵌着され、棚板の端部を二つの保持具の挟持片間に挟持して保持具は棚板を保持することを提供する。
【発明の効果】
【０００８】
この出願の発明によれば、棚板をサイズによらず確実に保持して取り付けることができ、収納棚の見栄えを良好とすることができる。
【発明を実施するための最良の形態】
【０００９】
以下、図面に沿ってこの出願の発明の棚板の取付構造についてさらに詳しく説明する。
【００１０】
図１＜ａ＞＜ｂ＞は、各々、この出願の発明の棚板の取付構造の一実施形態を示した要部正面図、要部側面図である。
【００１１】
たとえば図１＜ａ＞＜ｂ＞に示したように、この出願の発明の棚板の取付構造では、収納箱の側板（１）の内面に設けられた縦一列に並ぶ取付穴（２）の二つを用いて嵌着される保持具（３）の挟持部（４）により棚板（５）が上下に挟持されて収納箱に取り付けられる。棚板（５）は、取付穴（２）に突起が差し込まれて収納箱に取り付けられるのではなく、保持具（３）の挟持部（４）により上下に挟持されて収納箱に取り付けられるため、棚板（５）はそのサイズによらず、確実に保持具（３）により保持される。収納箱の側板（１）に設けられる取付穴（２）は保持具（３）の取付用となり、保持具（３）は取付穴（２）の二つを用いて嵌着されるため、取付穴（２）は縦一列に並んだものとすることができる。したがって、取付穴（２）の形成のための加工工数は最小限に抑えることができ、また、収納箱の見栄えが良好となる。
【００１２】
保持具（３）は、具体的には、たとえば図１＜ａ＞＜ｂ＞に示したように、取付穴（２）の内の上下に隣り合う二つに嵌め込み可能な二本の突起（６）を有し、挟持部（４）として、収納箱の前後方向に延び、上下に対向する一対の挟持片（７）を備えたものとすることができる。この保持具（３）による棚板（５）の取付けにおいては、二本の突起（６）が上下に隣り合う二つの取付穴（２）に嵌め込まれることにより保持具（３）が収納箱の側板（１）に嵌着され、棚板（５）の端部を上下一対の挟持片（７）間で挟持して保持具（３）は棚板（５）を保持する。
【００１３】
このような保持具（３）においては、上下一対の挟持片（７）を連結し、棚板（５）の端面に当接する当接面部（８）に、図１＜ａ＞図中のＡ断面である図２にも示したように、内側に折れ曲がり、弾性を有する接触片（９）を、たとえば前後方向の二箇所に設けることができる。この接触片（９）により棚板（５）は上下方向ばかりでなく左右方向にも挟持され、保持具（３）による棚板（５）の保持力が高まる。
【００１４】
保持具（３）はまた図３＜ａ＞＜ｂ＞に示したようなものとすることができる。すなわち、取付穴（２）の一つに嵌め込み可能な一本の突起（６）と、挟持部（４）として、収納箱の前後方向に延びる一つの挟持片（１０）とを有するものとすることができる。この保持具（３）による棚板（５）の取付けにおいては、二つの保持具（３）が、各々の挟持片（１０）を対向させて取付穴（２）への突起（６）の嵌め込みにより収納箱の側板（１）に嵌着され、棚板（５）の端部を二つの保持具（３）の挟持片（１０）間に挟持して保持具（３）は棚板（５）を保持する。
【００１５】
以上の保持具（３）は、棚板（５）の取付位置に応じて収納箱に嵌着され、取外しも可能である。
【００１６】
もちろん、この出願の発明は、以上の実施形態によって限定されるものではない。保持具の構成及び構造等の細部については様々な態様が可能であることはいうまでもない。
【産業上の利用可能性】
【００１７】
以上詳しく説明したとおり、この出願の発明によって、棚板をサイズによらず確実に保持して取り付けることができ、収納箱の見栄えを良好とすることができる。
【図面の簡単な説明】
【００１８】
【図１】＜ａ＞＜ｂ＞は、各々、この出願の発明の棚板の取付構造の一実施形態を示した要部正面図、要部側面図である。
【図２】図１＜ａ＞図中のＡ断面を示した断面図である。
【図３】＜ａ＞＜ｂ＞は、各々、この出願の発明の棚板の取付構造の一実施形態を示した要部正面図、要部側面図である。
【符号の説明】
【００１９】
１    側板
２    取付穴
３    保持具
４    挟持部
５    棚板
６    突起
７    挟持片
８    当接面部
９    接触片
１０    挟持片
【図１】
2005087566.tif 000003
【図２】
2005087566.tif 000004
【図３】
2005087566.tif 000005